(57)【特許請求の範囲】
【請求項１】
圧縮器と、室外熱交換器と、室内熱交換器と、この室内熱交換器の除湿運転時に凝縮器として作用する部分と蒸発器として作用する部分との間に設けられ除湿運転時に絞りとして作用する除湿絞り装置とを順次接続して冷凍サイクルを構成する空気調和機において、前記絞り装置内に設けられ除湿運転時に高圧側となる高圧側冷媒流路及び低圧側となる低圧側冷媒流路と、この高圧側冷媒流路と低圧側冷媒流路間に設けられ除湿運転時弁棒と弁座との隙間により形成され減圧機能を有する主冷媒通路と、前記高圧側冷媒流路の上方に設けられ入口が前記高圧側冷媒流路の上部に設けられた空間と、前記弁棒内に設けられ一端がこの空間に開口し他端が前記低圧側冷媒流路に開口した減圧機能を有する副冷媒通路とを備えた空気調和機。
【発明の詳細な説明】
【０００１】
【産業上の利用分野】
本発明は、冷凍サイクルを用いて室温の低下を防ぎながら除湿を行う除湿運転が可能な空気調和機に係わり、特に除湿運転時に除湿絞り装置により発生する冷媒流動音を低減するのに好適な空気調和機に関する。
【０００２】
【従来の技術】
冷凍サイクルで除湿運転を行う空気調和機に関する従来例としては、特開平２ー１８３７７６号公報に記載のものがある。この従来の空気調和機には、圧縮機と、室外熱交換器と、絞り装置と、室内熱交換器等を順次冷媒配管で接続し、室内熱交換器を二分割してこれらの間に除湿運転時用の除湿絞り装置を設けたサイクル構成が開示されている。そして、除湿運転時には、冷媒を除湿絞り装置に流すことにより、二分割した室内熱交換器のうち上流側を凝縮器とし、下流側を蒸発器として、蒸発器で冷却・除湿するとともに凝縮器で加熱して、空気調和機から吹き出す温度をあまり下げずに湿度を下げる除湿運転を可能にしている。又、除湿絞り装置として、二方弁の弁可動部に設けた小孔を使用する小孔付二方弁構造が開示されている。
【０００３】
ところで、一般に、絞り装置の部分では、絞り作用に伴い連続音もしくは不連続音である大きな冷媒流動音が発生し、この冷媒流動音、特に不連続音の大きさは、絞り装置に流入する高圧側冷媒の流動様式に大きく影響される。中でも、気体と液の二相流動状態で砲弾形気泡と液が交互に現れるスラグ流やプラグ流の時に、冷媒流動音が非常に大きくなることが知られている。ここで、連続的な流動音は、主として液冷媒が、絞り装置の絞り部で減圧膨張して高速の気液二相噴流になることによって生ずるものであり、また不連続的な流動音は、主として圧縮性流体である気体冷媒と非圧縮性流体である液冷媒とが、交互に絞り装置の狭い流路を通過するときに生ずる大きな圧力変動によって生ずるものである。
【０００４】
こうした冷媒流動音を低減することを目的とした従来例としては、特開昭５７ー１２９３７１号公報に記載のものがある。この従来例は、冷房運転や暖房運転の時に用いる室外熱交換器と室内熱交換器の間に設けた絞り装置での冷媒流動音低減に関するものであり、絞り装置である膨張弁の上流側（高圧側）に固定オリフィスを設け、膨張弁を通過する際の冷媒中の気泡を多くし、またその分布を均一化して騒音レベルの低下を図っている。
【０００５】
【発明が解決しようとする課題】
特開平２ー１８３７７６号公報に記載の冷凍サイクルでは、除湿運転時に、除湿絞り装置の上流側で凝縮器として作用する室内熱交換器の出口が気液二相状態になると、除湿絞り装置のところで大きな冷媒流動音が発生する。この除湿絞り装置は室内側に設けられているので、居住空間にいる人に不快感を与えることになる。この問題に対しては、従来は制振材や遮音材を設けることにより騒音低減を図っていた。しかし、最近は快適性に対する要求が非常に高くなり、騒音についてもさらに低減することが要求されている。
【０００６】
特開昭５７ー１２９３７１号公報に記載の絞り装置のように、絞り装置の上流側にオリフィスを設ける構成を、特開平２ー１８３７７６号公報に開示された除湿運転を行う冷凍サイクルの除湿絞り装置に適用した場合、冷房運転あるいは暖房運転において、オリフィスが冷媒流の流通抵抗となって、性能低下を引き起こすことになるという問題がある。
【０００７】
本発明の目的は、冷凍サイクルにより室温の低下を防ぎながら除湿を行う除湿運転が可能な空気調和機において、冷房運転あるいは暖房運転での性能低下を防ぎつつ、除湿運転時に除湿絞り装置で発生する冷媒流動音を低減できる空気調和機を提供することにある。
【０００８】
【課題を解決するための手段】
上記目的は、圧縮器と、室外熱交換器と、室内熱交換器と、この室内熱交換器の除湿運転時に凝縮器として作用する部分と蒸発器として作用する部分との間に設けられ除湿運転時に絞りとして作用する除湿絞り装置とを順次接続して冷凍サイクルを構成する空気調和機において、前記絞り装置内に設けられ除湿運転時に高圧側となる高圧側冷媒流路及び低圧側となる低圧側冷媒流路と、この高圧側冷媒流路と低圧側冷媒流路間に設けられ除湿運転時弁棒と弁座との隙間により形成され減圧機能を有する主冷媒通路と、前記高圧側冷媒流路の上方に設けられ入口が前記高圧側冷媒流路の上部に設けられた空間と、前記弁棒内に設けられ一端がこの空間に開口し他端が前記低圧側冷媒流路に開口した減圧機能を有する副冷媒通路とを備えることにより達成される。
【００１２】
【作用】
空気調和機を上記のように構成しているので、除湿絞り装置として用いられる除湿制御弁において、弁口と開放口とをつなぐ主冷媒通路、すなわち弁棒と弁座との隙間の通路、の他に、弁棒と弁本体とを貫通し、冷媒を高圧側冷媒流路と低圧側冷媒流路とを流通させる副冷媒通路を設けているので、冷媒流を２つに分流させることができる。その結果、冷媒流量の分化が図れ、それぞれの運動量及び運動エネルギが減少することとなり、流体による加振力が低減されるので、冷媒流が除湿絞り装置の弁を通過するときに発生する冷媒流動音が低減される。
【００１３】
また、除湿制御弁の副冷媒通路において、高圧側の冷媒流路側の入口孔が高圧側の冷媒流路の上端に設けられており、また主冷媒通路が高圧側冷媒流路の下端に位置してしるので、気液二相状態で冷媒流が除湿制御弁に流入した場合、気液分離機能があるため、主冷媒通路には液冷媒が、副冷媒通路にはガス冷媒が流れ、各々冷媒通路を確保できるので、絞り部分に気液二相状態で流入することが防げる。この結果、冷媒気液二相流が原因となって発生する冷媒流動音を低減することができる。
【００１５】
【実施例】
以下、本発明の一実施例を、建家に取り付ける空気調和機を想定して、図１から図５により説明する。図１は本実施例の冷凍サイクルの構成を示す図、図２は本実施例の除湿絞り装置７の除湿運転時に絞り作用を行う除湿制御弁の構造を示す縦断面図、図３は、気液分離機能を加えた除湿制御弁の構造を示す縦断面図、図４は、２冷媒通路を有する除湿制御弁を用いた除湿絞り装置を示す縦断面図、図５は２冷媒通路を有する除湿制御弁を用いた除湿絞り装置を示す縦断面図である。
【００１６】
図１に示すように、本実施例の空気調和機は、圧縮機１、冷房運転、暖房運転等の運転状態を切り換えるための四方弁２、室外熱交換器３、冷房運転、暖房運転の時に冷媒が流れる主絞り装置４、主絞り装置４と並列に設けられ、除湿運転時に冷媒を流す二方弁５、二分割された室内熱交換器６ａ、６ｂ、室内熱交換器６ａと６ｂとの間にこれらと直列に設けられた除湿絞り装置である除湿制御弁７、圧縮機１への液戻りを防止するためのアキュムレータ８、室外熱交換器３へ送風するための室外ファン９、室内熱交換器６ａ及び６ｂに送風するための室内ファン１０等で構成されている。
【００１７】
図２において、弁本体２３は、弁口３１と開放口３０を有する弁座３６と、この中に位置する弁棒３４、弁棒３４と一体化されて形成されるか弁棒３４に取り付けられている弁体３５、弁体３５を駆動させるための電磁コイル２０、弁体３５を吸引させるための吸引子２１、弁体３５を弁口３１側に押し付けるスプリング２２等から構成されている。電磁コイル２０に通電すると、吸引子２１に磁力が発生し、スプリング２２のバネ力と吸引子２１の吸引力との力のバランスにより、弁棒３４を有する弁体３５が弁本体２３内を上下に移動する。この弁体３５移動することにより、弁棒３４が弁座３６の間を上下に移動し、絞り量が変化する。このとき、弁棒３４が弁座３６から抜けて主冷媒通路２７を開放状態にすることも可能なように設定されている。
【００１８】
除湿運転時、冷媒は、除湿制御弁の入口配管３３から高圧側の冷媒流路３２に流入し、ここで２つの冷媒通路を通り、低圧側の冷媒流路２８に流入し、出口配管２９から流出する。ここで、分流した冷媒通路は、弁棒３４と弁座３６と間の隙間で構成される主冷媒通路２７と、高圧側の冷媒流路３２と弁本体２３内に形成される空間２４とを貫通する冷媒通路２５及び弁本体２３内に形成される空間２４と低圧側の冷媒流路２８とを貫通し弁棒３４内に設けられた冷媒通路２６からなる副冷媒通路である。なお、弁本体２３内に形成された空間２４は、駆動機構等の隙間を利用しても、弁本体２３内に流路を形成してもよい。また、除湿制御弁の副冷媒通路では、流路が不連続的に形状変化しているので、段階的に減圧され、かつ流路を迷路化させているので、冷媒流の持つ運動エネルギを消散させ、加振力が低減できるため、冷媒流動音の低減を図ることができる。
【００１９】
図３に示す除湿制御弁は、図２に示した除湿制御弁と基本構成は同様のものであるが、副冷媒通路の入口３７が、高圧側の冷媒流路３２の上端に設けられている。そのため、除湿制御弁に気液二相流で冷媒が流入した場合、一般に垂直配管以外では上層にガス冷媒３８、下層に液冷媒３９が流れるため、主冷媒通路２７には主として液冷媒３９が、副冷媒通路２５には主としてガス冷媒３８が流れ、気液分離して冷媒を流すことが可能となる。この時、主冷媒通路２７の入口である弁口３１は、副冷媒通路２５の入口３７に対して対面している高圧側の冷媒流路３２の下端側に設けられていることが望ましい。また、気液分離機能は、入口配管３３と少なくとも高圧側の冷媒流路３２とが水平に位置するように設置されるとき効果が大きい。
【００２０】
なお、図４に示すように、図２あるいは図３に示した除湿制御弁において、高圧側の冷媒流路３２に接続して設けられる副冷媒通路２５は、弁本体２３と弁棒３４との間の隙間を利用してもよい。このように構成しても上述したと同様に冷媒流の分流機能と気液分離機能を有することができる。
【００２１】
以上のようにサイクル構成を図１に示すように構成し、除湿制御弁の構造を図２、図３、あるいは図４に示すように構成することにより、次のように動作する。
【００２２】
冷房運転時には、二方弁５を閉じ除湿絞り装置７を開く。この時、除湿絞り装置７として動作する除湿制御弁の弁棒と弁座との開口面積は圧力損失がほぼ無くなるように開かれる。その結果、冷媒は、図１中に実線の矢印で示されるように、圧縮機１→四方弁２→室外熱交換器３→主絞り装置４→室内熱交換器６ａ→除湿絞り装置７→室内熱交換器６ｂ→四方弁２→アキュムレータ８→圧縮機１の順に循環し、室外熱交換器３を凝縮器、室内熱交換器６ａ及び６ｂを蒸発器として室内を冷房する。
【００２３】
暖房運転時には、四方弁２を切り換えることにより、冷媒を破線の矢印で示すように、圧縮機１→四方弁２→室内熱交換器６ｂ→除湿絞り装置７→室内熱交換器６ａ→主絞り装置４→室外熱交換器３→四方弁２→アキュムレータ８→圧縮機１の順に循環させ、室外熱交換器３を蒸発器、室内熱交換器６ａ及び６ｂを凝縮器として室内を暖房する。
【００２４】
除湿運転時には、四方弁２を冷房運転時と同様に切り換え、二方弁５を開いて除湿絞り装置７を閉じる。この時、除湿絞り装置７として用いる除湿制御弁の弁棒３４は下がり、弁座３６中に位置し、主冷媒通路２７と副冷媒通路２５とが構成され、冷媒はこの２通路を通過するときにそれぞれで減圧される。その結果、冷媒は、図１中に一点鎖線で示されるように、圧縮機１→四方弁２→室外熱交換器３→二方弁５→室内熱交換器６ａ→除湿絞り装置７→室内熱交換器６ｂ→四方弁２→アキュムレータ８→圧縮機１の順に循環され、除湿絞り装置７としての除湿制御弁の絞り作用により、室外熱交換器３を上流側の凝縮器、室内熱交換器６ａを下流側の凝縮器、室内熱交換器６ｂを蒸発器とする。そして、室内熱交換器６ｂで室内空気の冷却・除湿を行うとともに室内熱交換器６ａで空気を加熱することにより、室温の低下を防ぎながら除湿する除湿運転を行うことができる。
【００２５】
なお、この場合、室外熱交換器３での凝縮能力あるいは圧縮機１の能力を変えることにより、室内熱交換器６ａでの凝縮能力、即ち放熱量を変えて、室内ファン１０による吹き出し空気温度を冷房気味から暖房気味の広い範囲にわたって制御することができる。また、室内熱交換器６ａと６ｂは、前後に並べて室内ファン１０により風を室内熱交換器６ｂから６ａに流しても良く、あるいは上下に並べて室内ファン１０により風を室内熱交換器６ａと６ｂに並列に流しても良い。
【００２６】
ここで、上記除湿運転において、室内外の温湿度条件、圧縮機やファンの運転条件等によっては、除湿絞り装置７の入口で冷媒流が気液二相状態となる。又、場合によっては、この気液二相流は砲弾形の気泡が液流中に断続的に流れるスラグ流やプラグ流になることがある。また、上部に気相、下部に液相と二相になった層状流や波状流といった流れとなることもある。このような気液二相流の状態で冷媒が除湿絞り装置７に流入すると、流れの一部に気液両相が断続的に流れる箇所が存在すると、そこで間欠的に流動音が発生し、この間欠流動音は耳障りな音となる。そして、除湿絞り装置７が室内側に設置されているので、室内の人に不快感を与えることになる。しかし、本実施例の空気調和機では、気液二相流が流れても、２つの冷媒通路を形成しているので、冷媒流の分散化をすることで加振力となる冷媒流の持つ運動量、運動エネルギの消散を行うことができる。また、気液分離を行うことで、液冷媒の流路を確保し、気相による絞りの閉塞を防ぐことができる。これらの結果、気液二相冷媒流により発生する冷媒流動音を低減することができる。
【００２７】
図５に示す除湿制御弁においては、副冷媒通路は、弁棒３４内にのみ設けられている。この副冷媒通路は、横孔４０と縦孔４１とから構成されている。横孔４０から流入した冷媒流は、弁棒３４内で直角に流れ方向を変え縦孔４１から低圧側の冷媒流路２８に流出する。この時、横孔４０を高圧側の冷媒流路の上部に設けることで、冷媒が気液二相で流入したとき、気液分離機能も有することができる。この構造の除湿制御弁を使用した場合においても、上記した実施例と同様、気液二相の冷媒流に対し、冷媒流の分流による加振力となる運動量、運動エネルギの消散が図れ、その流動音を低減する効果がある。
【００２８】
本発明の他の実施例を図６により説明する。図６は本実施例の冷凍サイクルの構成を示す図である。
【００２９】
本実施例では、図１に示す実施例の冷凍サイクルの主絞り装置と二方弁の代わりに、図２から図５で示した除湿制御弁を、図６に示すように、膨張弁１２として用いた場合の冷凍サイクルを示している。膨張弁１２は、冷暖房運転時においては、絞り作用を有するように設定する必要であり、また除湿運転時には、ほとんど圧力損失が無い状態に設定する必要がある。膨張弁１２として、図２から図５に示した除湿制御弁のいずれかを用いることで、図６に示す冷凍サイクルの機能を、図１に示した冷凍サイクルの機能と同じにすることができる。また図２から図５に示す除湿制御弁のいずれかを膨張弁１２として用いることで、膨張弁１２に気液二相流の状態で冷媒が流入する場合でも、膨張弁１２で発生する冷媒流動音を低減することができる。
【００３０】
本実施例では、除湿制御弁の弁棒の駆動装置として、電磁コイル、吸引子、スプリングで構成されるものを示したが、モーターを使用するもの、機械的に駆動されるもの、感温筒を用いた圧力制御によるものを適用してもよく、駆動方法については種々の構成のものを適用してもよい。また、弁の構造は、弁棒が弁座内を移動する構成のもので、主冷媒通路と副冷媒通路を設けるものであればよい。又、本実施例では副冷媒通路の一部を弁棒内に設けているが、弁本体に高圧側の冷媒流路と低圧側の冷媒流路を貫通する通路（図示省略）を設けてもよく、同様に冷媒流動音の低減が図れる。
【００３１】
これまでは冷房、暖房、除湿の３つの運転状態ができる冷凍サイクルについて説明してきたが、これに限るものではなく他の冷凍サイクルについても適用できる。例えば、図１あるいは図６に示す冷凍サイクルにおいて、四方弁２を設けない冷房運転と冷房サイクルでの除湿運転が可能な冷凍サイクル、すなわち、室内熱交換器６ｂ、アキュムレータ８、圧縮機１、室外熱交換器３が直列になるように接続（図示省略）した場合にも、図２から図５のいずれかに示す実施例を適用することにより、除湿運転において、同様に除湿絞り装置の部分で発生する冷媒流動音を低減することができる。
【００３２】
また、図１あるいは図６に示す冷凍サイクルにおいて、四方弁２を設けない暖房運転と暖房サイクルでの除湿運転が可能な冷凍サイクル、すなわち、室外熱交換器３、アキュムレータ８、圧縮機１、室内熱交換器６ｂが直列になるように接続（図示省略）した場合、図２から図５のいずれかの実施例を適用して、除湿運転において、同様に除湿絞り装置の部分で発生する冷媒流動音を低減することができる。
【００３３】
なお、図１あるいは図６に示す冷凍サイクルの構成において、アキュムレータは必ずしも必要ではなく、使用する圧縮機の種類あるいは主絞り装置の種類や制御方法によってはアキュムレータ無しの冷凍サイクル構成とすることができる。
【００３４】
また、冷凍サイクル内を流れる冷媒の種類としては、空気調和機で現在一般的に使用されているＨＣＦＣ２２等の単一冷媒、オゾン層破壊や地球温暖化の点からＨＣＦＣ２２に代わる代替冷媒の一つである混合冷媒を使用することができる。特に、混合冷媒を使用すると、気液二相冷媒流が絞りに流入した時、間欠的なあるいは連続的な冷媒流動音の発生は著しいと考えられるが、これまで述べたように、上記した実施例を適用することで、冷媒流動音の低減を図れる効果がある。
【００３５】
また、上記各実施例では、建屋の空気調和機を想定して説明したが、これに限らず、除湿運転が必要な他の用途の装置にも適用可能である。このような場合は、一般に熱交換器を室内あるいは室外に用いられるとは限られず、この場合は、室内熱交換器は利用側熱交換器、室外熱交換器は熱源側熱交換器、室内ファンは利用側ファン、室外ファンは熱源側ファンと呼ぶ。
【００３６】
【発明の効果】
以上詳細に説明したように、本発明の空気調和機によれば、室内熱交換器（利用側熱交換器）を二分割してその間に除湿運転時に使用する除湿絞り装置を設け、除湿運転時に、利用側熱交換器の一方を蒸発器、他方を凝縮器として冷凍サイクルにより空気の冷却・除湿及び加熱を行う冷凍サイクルにおいて、除湿絞り装置に対して、弁口と開放口とを結ぶ主冷媒通路と弁棒と弁本体とを貫通し、高圧側冷媒流路低圧側冷媒流路とを流通させる副冷媒流路の２通路を形成することで、冷媒流を２つに分流し、それぞれの流れが有する運動エネルギ、運動量を分散させることができる。また、副冷媒通路の高圧側の冷媒流路の入口孔を流路上端に設けることにより、気液分離機能を有させることができ、冷媒流が単相流であるときはもとより、気液二相流である場合においても、除湿制御弁を通過する冷媒流による冷媒流動音の発生を低減させることができる。また、冷凍サイクルによる前記加熱能力が比較的大きいことから、静かで室温を下げずに湿度を下げる快適な除湿運転を行うことができる。
【００３７】
【図面の簡単な説明】
【図１】本発明の一実施例である２冷媒通路を有する除湿制御弁を用いた冷凍サイクルの構成図である。
【図２】本実施例の２冷媒通路を有する除湿制御弁を用いた除湿絞り装置を示す縦断面図である。
【図３】本実施例の２冷媒通路を有し、かつ気液分離機能を有する除湿制御弁を用いた除湿絞り装置を示す縦断面図である。
【図４】本実施例の２冷媒通路を有する除湿制御弁を用いた除湿絞り装置を示す縦断面図である。
【図５】本実施例の２冷媒通路を有する除湿制御弁を用いた除湿絞り装置を示す縦断面図である。
【図６】本発明の他の実施例である冷暖房運転時に用いる絞り装置に除湿制御弁を用いた冷凍サイクルの構成図である。
【符号の説明】
１…圧縮機、２…四方弁、３…室外熱交換器、４…主絞り装置、５…二方弁、６ａ，６ｂ…室内熱交換器、７…除湿絞り装置、８…アキュムレータ、９…室外ファン、１０…室内ファン、１１…配管、１２…膨張弁、２０…電磁モータ、２１…吸引子、２２…スプリング、２３…弁本体、２４…空間（通路）、２５，２６，３７…副冷媒通路、２７主冷媒通路、２８…低圧側冷媒通路、２９…出口配管、３０…開放口、３１…弁口、３２…高圧側冷媒流路、３３…入口配管、３４…弁棒、３５…弁体、３６…弁座、３８…ガス冷媒、３９…液冷媒、４０…副冷媒通路（横孔）、４１…副冷媒通路（縦孔）。
【図１】
0003872824.tif 000002
【図２】
0003872824.tif 000003
【図３】
0003872824.tif 000004
【図４】
0003872824.tif 000005
【図５】
0003872824.tif 000006
【図６】
0003872824.tif 000007